(57)【要約】【課題】高分子量の樹脂汚れに対する洗浄性、洗浄時において引火の心配をすることなく、人体に対する安全性に優れる洗浄剤組成物を提供する。【解決手段】芳香族アルコール２５〜７０％、液状高級脂肪族アルコール１０〜３０％、液状炭化水素１０〜３０％、芳香族スルホン酸アルカリ金属塩４〜１５％、水５〜３０％よりなる洗浄剤組成物。【特許請求の範囲】
【請求項１】
芳香族アルコール２５〜７０％、液状高級脂肪族アルコール１０〜３０％、液状炭化水素１０〜３０％、芳香族スルホン酸アルカリ金属塩４〜１５％及び水５〜３０％よりなる洗浄剤組成物。
【請求項２】
芳香族スルホン酸アルカリ金属塩と水の和に対する芳香族スルホン酸アルカリ金属塩の含有率が２０〜４０％である請求項１に記載の洗浄剤組成物。
【発明の詳細な説明】
【０００１】
【産業上の利用分野】本発明は樹脂汚れ用洗浄剤組成物に関する。
【０００２】
【従来の技術】取り除かなければならない樹脂の汚れは多方面に渡る。例えば、塗装関連についてみれば、自動車製造の際の色替え時のボディー、塗装用冶具、回収再生時の自動車用バンパーの塗膜、グラビア印刷などの印刷時の印刷機に付着したインキの硬化物、半導体、リードフレームなどの電子部品、金属抜き打ち加工物などを製造する際のレジスト、アルミサッシや建築物などの構造物の塗膜が挙げられる。
【０００３】また、接着剤関連についてみれば、シリコン、ガリウム・砒素、ガリウム・燐などの半導体・結晶材料、水晶、石英、ガラス、圧電素子などの電子部品関連材料、フェライト、サマリウム・コバルトなどの磁性材料、磁気ヘッドなどの磁気材料、チップ型電子部品などの電子部品、精密機械部品などまたはその加工・製造工程に使用される治工具類に付着した仮止め用接着剤、固着剤、接着剤、封止剤などの樹脂、これらの部品のリサイクル時に除去されるバインダー、塗膜、保護膜などの樹脂などの樹脂汚れが挙げられる。
【０００４】これら樹脂汚れは、硬質表面に強固に付着（接着）し、しかも樹脂汚れ自身の分子量が高いため、溶解、膨潤、軟化、崩壊、剥離作用などを利用した薬剤による洗浄が非常に困難である。中でも、プラスチックレンズの製造時にガラス母型に付着したプラスチックレンズの樹脂汚れは非常に分子量が高く、最も洗浄が困難な樹脂汚れの一つである。
【０００５】レンズ、プリズム、ミラー等の光学素子としてはガラス、プラスチックが用いられるが、例えば、プラスチックレンズの場合、プラスチックレンズ本体は、成形ガラス母型を鋳型として用いて成形した後、エッジ部分の面取りを行う。その加工においては、光学素子を冶具にセットして行なっている。この冶具への仮止め接着のため、ピッチ、ワックス、松ヤニなどの接着剤が使用されている。
【０００６】また、光学素子の磨き皿にはピッチを用いることにより光学素子を高精度に加工することもなされている。例えば、ピッチを用いるときには、ピッチを高周波加熱器で加熱し、その上にレンズを貼り付け、研磨を行ない、研磨工程終了後、再度高周波加熱器を用いて剥離させることから、研磨終了したレンズの周りに多量のピッチが残存することになる。このピッチは、そのまま放置すると固着化し除去しにくくなるばかりか、いわゆるヤケの生成の原因ともなり、また例えば研磨面にピッチ、保護膜等に由来する汚れが存在する状態で芯取りを行なった場合には、芯取り精度が低下するといった現象が起きる。従って、各工程で発生した汚れはできる限り早い時期に洗浄除去する必要がある。
【０００７】また、近年では、研磨工程でレンズ類が直接、石油系ピッチに接触することを避けるために、先ずレンズ類の固定面を接着剤により保護した後に、レンズ類を石油系ピッチに貼り付け、固定している。さらには、研磨工程後の研磨面を保護する目的で研磨面に保護膜が塗布される場合がある。従って、この様な場合には、研磨工程の終了後に、石油系ピッチに加えて、接着剤や保護膜も完全に除去する必要がある。
【０００８】また、プラスチックレンズを離型した後の成形ガラス母型には、プラスチックレンズ成形用原料、未反応モノマー、オリゴマー、ポリマー、ガスケットからブリードアウトした成分や可塑剤、接着剤、鋳型固定用テープ由来の粘着剤などの高分子量の樹脂汚れをはじめ、雰囲気中の粉塵、作業者の指紋などの汚れが付着している。これら汚れのうち、プラスチックレンズ成形用原料に由来のオリゴマー、ポリマー、ガスケットからブリードアウトした成分、接着剤、鋳型固定用テープ由来の粘着剤などの高分子量の樹脂汚れは、ガラス型の硬質表面に強固に付着（接着）し、しかも樹脂汚れ自身の分子量が高いため、薬剤による洗浄作用が非常に困難である。ガラス母型が清浄でなければ、表面がスムーズな良質のプラスチックレンズが得られなくなり、非常に高価なガラス母型を廃棄せざるを得ない。
【０００９】また、金物やプラスチックの切削には切削油が使用されていると共に、これらの製造においてはグリース、ワックス等の油剤が付着する。このように各種製品の製造や加工の際には接着剤、油剤が付着するため、これらを除去する必要があり、これら除去に溶解洗浄液が用いられている。
【００１０】かかる溶解洗浄液としてはトリクレンが用いられていたが、塩素系溶剤のため毒性が強く、健康上、環境汚染上、取扱いに注意を要する問題があった。また、アルコール類やケトン類にあっては、その低い引火点により安全性に対し多大の設備投資を行なわなければならなかった。なお、洗浄剤として広く用いられている多くのアルカリ洗浄剤或いは、エチレン系或いはプロピレン系グリコールエーテルを主成分とする準水系洗浄剤では実用的レベルの洗浄性を全く呈さないという問題があった。
【００１１】
【発明が解決しようとする課題】本発明はこの様な従来の問題点に着目してなされたものであり、高分子量の樹脂汚れに対する洗浄性、洗浄時において引火の心配をすることなく、人体に対する安全性に優れる洗浄剤組成物を提供することを目的とする。
【００１２】
【課題を解決するための手段】本発明の洗浄剤組成物の要旨とするところは、芳香族アルコール２５〜７０％、液状高級脂肪族アルコール１０〜３０％、液状炭化水素１０〜３０％、芳香族スルホン酸アルカリ金属塩４〜１５％及び水５〜３０％よりなる洗浄剤組成物である。尚、本発明でいう組成物の意味は均一な混合物という意味で用いている。
【００１３】
【発明の実施の形態】以下、本発明について詳細に説明する。芳香族アルコールとしては、ベンジルアルコール、４−エチルベンジルアルコール、β−フェニルエチルアルコールなどが例示されるが、特にベンジルアルコールが好適に用いられる。芳香族アルコールは本発明洗浄剤組成物中、２５〜７０％、好ましくは、３０〜６０％、特に好ましくは、３５〜５０％の範囲で用いられる。２５％未満では水との相溶性に劣り、７０％を超えると洗浄性が劣るためである。
【００１４】液状高級脂肪族アルコールは助溶剤として作用し、水の可溶化を行なう。液状高級脂肪族アルコールとしては、炭素数が８〜２０の範囲のものが好適に用いられ、中でも１０〜１８のものがより好ましく用いられ、特に１３〜１５のものが好ましく用いられる。中でも分岐構造を有するものが水に対する可溶能力に優れ、好ましく用いられる。イソトリデシルアルコール、イソステアリルアルコールなどが例示される。
【００１５】液状高級脂肪族アルコールは本発明洗浄剤組成物中１０〜３０％、好ましくは１５〜２０％の範囲が用いられる。１０％を下回ると本発明洗浄剤組成物が分離して可溶化しないためであり、３０％を超えると濁りが生じ、洗浄力が低下するためである。
【００１６】液状炭化水素は各種の脂肪族炭化水素、脂環族炭化水素、芳香族炭化水素またはこれら炭化水素が結合した液状のものが用いられる。また、各種炭化水素は、直鎖状若しくは分岐鎖状のいずれでもよく、不飽和結合を有していても良い。液状炭化水素としては、臭いが少ない点でイソパラフィンが特に好ましく用いられるが、流動パラフィン、ノルマルパラフィン、シクロパラフィンなども好適に用いられる。イソパラフィンとしては沸点が２００〜３５０℃のものが好適に用いられ、特に２５０〜３００℃のものが好適に用いられる。流動パラフィンは動粘度が３０℃で１０〜５０ｃＳｔのものが好適に用いられ、ノルマルパラフィンは炭素数が１０〜１４のものが好適に用いられ、中でも炭素数が１０〜１２のものが好ましく用いられる。液状炭化水素はピッチに対する溶解力に優れ、本発明洗浄剤組成物中１０〜３０％、好ましくは１５〜２０％の範囲が用いられる。
【００１７】芳香族スルホン酸アルカリ金属塩はパラトルエンスルホン酸ソーダが最も優れたものであるが、この他、ベンゼンスルホン酸、メタキシレンスルホン酸等のアルカリ金属塩が好適に用いられ、本発明洗浄剤組成物中４〜１５％、好ましくは４．５〜１０％、特に好ましくは５〜７％の範囲が用いられる。少なすぎると水が可溶化しなくなり、多過ぎるとそれ自体の析出が起きるためである。アルカリ金属塩としてはカリウム塩、ナトリウム塩が好ましく用いられる。
【００１８】水は本発明洗浄組成物中５〜３０％、好ましくは、１０〜２０％が用いられる。この範囲を下回ると引火性に対する心配をする必要が生じ、３０％を超えると洗浄力が低下するためである。ここで用いられる水は、超純水、純水、イオン交換水、蒸留水、通常の水道水などが用いられる。また、水と芳香族スルホン酸アルカリ金属塩の和に対する芳香族スルホン酸アルカリ金属塩の含有率は、２０〜４０％が好適に用いられ、特に３０〜３８％が好ましく用いられる。この範囲であると本発明洗浄剤組成物が濃厚な水溶液を構成し、引火点を有することなく洗浄性の高い洗浄組成物とすることができる。上記範囲が好ましく用いられるものの、この範囲であっても本発明洗浄剤組成物が溶液とならず、相分離する場合がある。その場合には特に好ましい範囲に芳香族スルホン酸アルカリ金属塩の量を適宜調節する等、本発明の各成分の範囲内で適宜調整することにより、均一透明な洗浄剤組成物とすることができる。
【００１９】本発明洗浄剤組成物は上記の他、安息香酸エステル、アニソール、ベンジルエーテルなどを含めることもできる。但し、水との相溶性が悪くなるので、量は水との相溶性を損なわない限度とする。また、引火点が出てくる場合もあるので、引火点が出ない限度とする。本発明洗浄剤組成物は常法により混合することにより、製造することができる。
【００２０】
【実施例】以下、本発明を実施例により更に詳細に説明する。
（洗浄性試験）表１〜表３に示す洗浄剤組成物の実施例１〜２０及び比較例１〜２３の洗浄剤組成物を用い、以下に示すピッチ２種類及びワックス３種類に対する洗浄性を下記の方法で評価した。８０℃のガラス板に常温のピッチまたはワックスを薄く塗り、２４時間放冷した後、洗浄剤組成物に浸漬し、静置させて１時間後に取り出し、ガラス板を斜めにして洗浄剤組成物並びにそれに溶解したものを除き、洗浄効果を目視にて判断した。洗浄性の評価の判断は次のようにランク付けをした。
◎；完全に溶解
○；ほぼ剥離
△；一部残る
×；溶解も剥離もせず
【００２１】表中に示すワックスＡ，Ｂ，Ｃ及びピッチＤ，Ｅは以下のものを用いた。
ワックスＡ：九重電気製「イエローワックスＡ」（軟化点５７℃）
ワックスＢ：九重電気製「スロットワックスＭ」（軟化点６５℃）
ワックスＣ：九重電気製「Ａ．Ｃ．ワックス０１」（軟化点４９℃）
ピッチＤ：九重電気製「研磨用ピッチＫ級３」（軟化点８５℃以上）
ピッチＥ：九重電気製「貼付用ピッチＨ級１０４」（軟化点９５±５℃）
【００２２】
【表１】
2004182958.tif 000002
【００２３】
【表２】
2004182958.tif 000003
【００２４】
【表３】
2004182958.tif 000004
【００２５】評価の結果は表１〜３に示す通り、優れた洗浄性を示すとともに、本発明実施例はいずれも透明で均一な安定した状態を維持するものであった。また、引火点はＪＩＳ−Ｋ２２６５により、評価したところ、引火点を有さないものである。
【００２６】
【本発明の効果】本発明洗浄剤組成物は洗浄性に優れピッチ、ワックス、松ヤニ、グリースなどの樹脂汚れを実用レベルで溶解することができる。また、本発明洗浄剤組成物は無機アルカリを含めなくてもよいのでガラス表面にダメージを与えることなく洗浄することが可能である。また透明性に優れ、薬品として均一性を有する。従って、本発明洗浄組成物は、例えば、メガネ、カメラ、プロダクションテレビ、大型スクリーン、オーバーヘッドプロジェクター、コンパクトディスク装置、光メモリー装置などの光学機器向けのレンズ、プリズムなどの各種光学用プラスチックレンズの製造に使用される成形ガラス型に付着したプラスチックレンズ成形用原料、未反応モノマー、オリゴマー、ポリマー、ガスケットからブリードアウトした成分、可塑剤、接着剤、鋳型固定用テープ由来の粘着剤等の高分子量の樹脂汚れなどを洗浄するためのプラスチックレンズ成形ガラス型用などの洗浄、プラスチックガラスの洗浄にも使えるものである。
【００２７】また、自動車製造の際の色替え時のボディー、塗装用冶具、回収再生時の自動車用バンパーの塗膜、グラビア印刷などの印刷時の印刷機に付着したインキの硬化物、半導体、リードフレームなどの電子部品、金属抜き打ち加工物などを製造する際のレジスト、アルミサッシや建築物などの構造物の塗膜、シリコン、ガリウム・砒素、ガリウム・燐などの半導体・結晶材料、水晶、石英、ガラス、圧電素子などの電子部品関連材料、フェライト、サマリウム・コバルトなどの磁性材料、磁気ヘッドなどの磁気材料、チップ型電子部品などの電子部品、精密機械部品などまたはその加工・製造工程に使用される冶具工具類に付着した仮止め用接着剤、固着剤、接着剤、封止剤などの樹脂、これらの部品のリサイクル時に除去されるバインダー、塗膜、保護膜などの樹脂などの樹脂汚れの洗浄に好適に適用される。
【００２８】また、市販のものは強アルカリであるが、本発明洗浄剤組成物はｐＨが６〜８．５程度の中性であり、しかも引火点がなく、安全に洗浄することが可能である。